(57)【要約】      （修正有）【課題】複数のボックスパレットを上下に積み重ねた状態で、下段のボックスパレットの前壁パネルの開揺動を阻止可能なボックスパレットを提供する。【解決手段】矩形状の底パネル１と、左右一対の矩形状の側壁パネル２，２と、矩形状の前壁パネル３と、矩形状の後壁パネル４と、を備え、前壁パネル３は、上半部又は全体が、収容物取り出しの際に前方へ開揺動可能に構成されたボックスパレットであって、別のボックスパレットが上方から載置されたことを検知する検知部５１を、側壁パネル２に設け、さらに、側壁パネル２に、検知部５１の検知に基づいて前壁パネル３の開揺動を阻止するロック爪部５２を設けた。【選択図】図１
2018167856.tif 000002
【特許請求の範囲】
【請求項１】
矩形状の底パネル（１）と、左右一対の矩形状の側壁パネル（２）（２）と、矩形状の前壁パネル（３）と、矩形状の後壁パネル（４）と、を備え、上記前壁パネル（３）は、上半部又は全体が、収容物取り出しの際に前方へ開揺動可能に構成されたボックスパレットに於て、
別のボックスパレット（Ｂ）が上方から載置されたことを検知する検知部（51）を、上記側壁パネル（２）に設け、さらに、上記側壁パネル（２）に、上記検知部（51）の検知に基づいて上記前壁パネル（３）の開揺動を阻止するロック爪部（52）を設けたことを特徴とするボックスパレット。
【請求項２】
上記検知部（51）は、上記側壁パネル（２）の上縁部（２ａ）から上方突出状に上下スライド自在に設けられ、載置された上記別のボックスパレット（Ｂ）に押圧されて下方へスライド移動するように構成され、
上記ロック爪部（52）は、上記検知部（51）の下方へのスライド移動に伴って上下方向に移動して、上記前壁パネル（３）に係止して上記前壁パネル（３）の開揺動を阻止するように構成されている請求項１記載のボックスパレット。
【発明の詳細な説明】
【技術分野】
【０００１】
本発明は、ボックスパレットに関する。
【背景技術】
【０００２】
従来、上方開口箱型に組み立てられて使用されるボックスパレットは、矩形状の底パネルと、左右一対の矩形状の側壁パネルと、矩形状の前壁パネルと、矩形状の後壁パネルと、を備え、前壁パネルは、上半部又は全体が、収容物取り出しの際に前方へ開揺動可能に構成されていた（例えば、特許文献１参照）。
【先行技術文献】
【特許文献】
【０００３】
【特許文献１】登録実用新案第３１７０９２５号公報
【発明の概要】
【発明が解決しようとする課題】
【０００４】
しかし、複数のボックスパレットを上下に積み重ねた状態で、下段のボックスパレットの収容物を取り出そうとして、前壁パネルの上半部又は全体を開揺動させると、下段のボックスパレットの強度が保てなくなったり、側壁パネルが左右方向に振れたり、側壁パネルが変形して、上段のボックスパレットが落下する危険があった。
そこで、上下に積み重ねた状態で、前壁パネルを開揺動しないように、注意書きにより警告していたが、注意書きを無視して前壁パネルを開揺動させることは可能であるため、上段のボックスパレットの落下事故が発生する虞れがあった。
【０００５】
そこで、本発明は、複数のボックスパレットを上下に積み重ねた状態で、下段のボックスパレットの前壁パネルの開揺動を阻止可能なボックスパレットの提供を目的とする。
【課題を解決するための手段】
【０００６】
上記目的を達成するために、本発明のボックスパレットは、矩形状の底パネルと、左右一対の矩形状の側壁パネルと、矩形状の前壁パネルと、矩形状の後壁パネルと、を備え、上記前壁パネルは、上半部又は全体が、収容物取り出しの際に前方へ開揺動可能に構成されたボックスパレットに於て、別のボックスパレットが上方から載置されたことを検知する検知部を、上記側壁パネルに設け、さらに、上記側壁パネルに、上記検知部の検知に基づいて上記前壁パネルの開揺動を阻止するロック爪部を設けたものである。
また、上記検知部は、上記側壁パネルの上縁部から上方突出状に上下スライド自在に設けられ、載置された上記別のボックスパレットに押圧されて下方へスライド移動するように構成され、上記ロック爪部は、上記検知部の下方へのスライド移動に伴って上下方向に移動して、上記前壁パネルに係止して上記前壁パネルの開揺動を阻止するように構成されているものである。
【発明の効果】
【０００７】
本発明によれば、複数のボックスパレットを上下に積み重ねた状態で、前壁パネルの開揺動を確実に阻止できる。別のボックスパレットを上方から載置することによって（パレット積み重ね作業に伴って）、自動的に、前壁パネルの開揺動を阻止できる。ロック爪部のロック操作やロック解除操作が不要であり、ロック操作忘れ等の人為的ミスの悪影響を受けない。
【図面の簡単な説明】
【０００８】
【図１】本発明の実施形態を示す斜視図である。
【図２】待機状態を示す要部斜視図である。
【図３】ロック状態を示す要部斜視図である。
【図４】検知部と係止ロック爪部の一例を示す斜視図である。
【図５】他の実施形態の待機状態を示す側面図である。
【図６】他の実施形態のロック状態を示す側面図である。
【発明を実施するための形態】
【０００９】
以下、図示の実施形態に基づき本発明を詳説する。
本発明のボックスパレットは、図１に示すように、上方開口箱型に組み立てられて使用されるものであって、平面視矩形状の底パネル１と、左右一対の矩形状の側壁パネル２，２と、矩形状の前壁パネル３と、矩形状の後壁パネル４と、を備えている。
【００１０】
前壁パネル３は、上半部が収容物取り出しの際に前方（手前）へ開揺動可能に構成され、かつ、全体（上半部及び下半部）が収容物取り出しの際に前方へ開揺動可能に構成されている。
【００１１】
前壁パネル３は、底パネル１に左右水平状軸心廻りに傾倒・起立可能（前後開閉揺動自在）に金具等により連結された金属製の前下ゲート部（前下網部）31と、前下ゲート部31の上縁部に金属製のコイル状線材等により前後揺動自在に連結された金属製の前上ゲート部（前上網部）32と、前下ゲート部31に左右方向スライド自在に設けられ前下ゲート部31の開揺動を阻止するためのストッパシャフト33ａを有する左右一対の前下用のハンドル33，33と、前上ゲート部32に左右方向スライド自在に設けられ前上ゲート部32の開揺動を阻止するためのストッパシャフト34ａを有する左右一対の前上用のハンドル34，34と、を備えている。
【００１２】
前下用のハンドル33及び前上用ハンドル34を左右外方へ移動させて、ストッパシャフト33ａ，34ａの先端を、側壁パネル２の前縁部２ｅに設けた下ストッパ用孔部23及び上ストッパ用孔部24に、夫々、差し込むことで、前壁パネル３が側壁パネル２に係止され、前下ゲート部31及び前上ゲート部32夫々の開揺動（開放）が阻止されるように構成している。
【００１３】
また、左右一対の前上用のハンドル34，34を、夫々、左右内方へ移動させて、ストッパシャフト34ａ，34ａの先端を、左右一対の上ストッパ用孔部24，24から抜くことで、前上ゲート部32のみが係止解除状態となり、前壁パネル３の上半部が開揺動可能となる。
【００１４】
また、前上ゲート部32を上述のように係止解除状態にすると共に、左右一対の前下用のハンドル33，33を、夫々、左右内方へ移動させて、ストッパシャフト33ａ，33ａの先端を、左右一対の下ストッパ用孔部23，23から抜くことで、前下ゲート部31が係止解除状態となり、前壁パネル３の全体（上半部及び下半部）を開揺動可能としている。
【００１５】
そして、図１乃至図４に示すように、側壁パネル２に、別のボックスパレットＢ（図３参照）が上方から載置されたことを検知する検知部51を設けている。
検知部51は、側壁パネル２の前縁部２ｅ近傍の上縁部２ａから上方突出状に上下スライド自在に設けている。
検知部51は、側壁パネル２の上縁部２ａに別のボックスパレットＢの脚部Ｂｄが載置されると、その脚部Ｂｂによって押圧され下方へ移動する。
【００１６】
そして、検知部51の検知に基づいて前壁パネル３の開揺動を阻止するロック爪部52を、側壁パネル２の前縁部２ｅから前方突出状かつ上下移動自在に設けている。
ロック爪部52は、検知部51の下方へのスライド移動に伴って、下方へ移動し、前壁パネル３の網形状を形成する横杆38に係止可能な所定ロック位置に配設される。
【００１７】
ここで、図４に示すように、検知部51は側面視でＬ字状のスライド部材50の板状の上方突片部（鉛直状部）50ａの上端部である。
ロック爪部52は、スライド部材50の板状の前方突片部（水平状部）50ｂの先端部である。ロック爪部52は、下方へ折れ曲がったＬ字状のフック型である。
【００１８】
ここで、側壁パネル２の前上角部かつ内面側に、板状のベース部材59を固着している。そして、ベース部材59に設けた左右外方突片部59ｄに、常時上方へ弾発付勢する引っ張りコイルバネ等の弾発付勢部材58の一端（上端部）を取着している。
弾発付勢部材58は、他端部（下端部）が、スライド部材50の前方突片部50ｂに取着している。
【００１９】
検知部51が別のボックスパレットＢから押圧されていない待機状態において、スライド部材50は、弾発付勢部材58によって、検知部51が側壁パネル２の上縁部２ａから所定突出寸法をもって配設された所定の検知待機位置（姿勢）に配設されると共に、ロック爪部52が（前壁パネル３の開閉揺動が可能となる）所定のロック待機位置に配設される。
【００２０】
ここで、側壁パネル２は、前縁部２ｅ近傍の上縁部２ａに、上方から載置される別のボックスパレットＢ（図３参照）の脚部Ｂｄの前方位置を位置決めするための前位置決め突部29を、上方突出状に有している。検知部51は、その前位置決め突部29の後方側近傍に配設され、脚部Ｂｄに確実に対応する。
【００２１】
また、図４に示すように、スライド部材50の上方突片部50ａは、側壁パネル２の網形状を形成するために前後方向に並んだ縦杆27，27（27Ｃ，27Ｄ）の間に配設され、その一対の縦杆27，27によって上下方向のスライドがガイドされると共に前後方向の位置ズレが阻止されている。
また、上方突片部50ａは、側壁パネル２の上縁部２ａを形成する左右一対の上縁用の横杆28，28の間を挿通し左右方向の位置ズレが阻止されると共に上下方向のスライド移動がガイドされている。
また、前方突片部50ｂは、側壁パネル２の網形状を形成するために前後方向に並んだ縦杆27，27（27Ａ，27Ｂ）と、ベース部材59と、によって左右方向の位置ズレが阻止されている。このように、側壁パネル２の構成部材（網形状を形成する杆材）及びその網目空間を巧みに利用して、部品点数を削減している。また、検知部51やロック爪部52の厚み寸法（左右方向寸法）を薄くでき、収容物の収納やパレット搬送の邪魔にならない。
【００２２】
また、図１乃至図３に示すように、側壁パネル２の外面側（左右外方側）からベース部材59に取着する板状のカバー部材57を備えている。ベース部材59とカバー部材57とで、側壁パネル２の前上角部を挟んで、スライド部材50や弾発付勢部材58や保護すると共に美観を向上させている。
【００２３】
そして、側壁パネル２の上縁部２ａに、別のボックスパレットＢの脚部Ｂｄが載置されると、脚部Ｂｂが検知部51を上方から押圧し、スライド部材50が弾発付勢部材58の弾発付勢力に抗して降下し、ロック爪部52が、前壁パネル３の横杆38を係止可能なロック位置に配設され、前壁パネル３の開揺動を阻止可能なロック状態となる。
【００２４】
このように、複数のボックスパレットを上下に積み重ねた状態で、前壁パネル３の上半部又は全体を開揺動させようとしてハンドル33，34を操作し、ストッパシャフト33ａ，34ａの先端を、ストッパ用孔部23，24から抜いても、前壁パネル３（前上ゲート部32）の横杆38がロック爪部52に係止され前壁パネル３の開揺動が阻止される。
【００２５】
そして、別の（上段の）ボックスパレットＢを、降ろすと（側壁パネル２の上縁部２ａから離間させると）、弾発付勢部材58の弾発力によって（自動で）、スライド部材50が上昇し、ロック爪部52が所定のロック待機位置に戻って、前壁パネル３の開揺動が可能となる。また、検知部51が所定の検知待機位置に戻る。
【００２６】
次に、図５及び図６に示す他の実施形態は、検知部51を、上下方向に沿った細帯型の板状の上下移動部材55の上端部としている。上下移動部材55は、縦杆27，27及び上縁用の横杆28，28によって上下方向のスライド移動がガイドされる。
【００２７】
ロック爪部52は、上下移動部材55の下端部55ｂに、基端部56ｃが左右水平状の枢着軸心Ｌ１をもって枢着された細帯型の板状の揺動部材56の先端部（前端部）である。ロック爪部52は、上方へ折れ曲がったＬ字状のフック型である。
【００２８】
揺動部材56は、前後中間部が左右水平状の枢支軸心Ｌ２をもってベース部材59に枢支されている。言い換えると、揺動部材56は、枢支軸心Ｌ２を支点としてロック爪部52と基端部56ｃとがシーソー状に上下揺動自在である。
【００２９】
また、揺動部材56において枢支軸心Ｌ２よりも先端（前方）側部位の重さ（自重）によって、ロック爪部52が所定のロック待機位置に配設されると共に、検知部51が所定の検知待機位置に配設されるように、揺動部材56と上下移動部材55と（枢着軸心Ｌ１に同心状の）枢着部材とを設けている。
言い換えると、揺動部材56において、枢支軸心Ｌ２より先端側のモーメントＭ１が、枢支軸心Ｌ２より基端側のモーメントＭ２と同等乃至超えるように設定して、図４に示したような待機位置戻り用の弾発付勢部材58を省略している。
【００３０】
そして、図６に示すように、別のボックスパレットＢの脚部Ｂｄ（図６に於て二点鎖線で図示する）、側壁パネル２の上縁部２ａに、載置されると、脚部Ｂｂによって、検知部51は上方から押圧され上下移動部材55が降下し、揺動部材56の基端部56ｃが枢支軸心Ｌ２廻りに下方へ揺動し、揺動部材56のロック爪部52が枢支軸心Ｌ２廻りに上方へ移動（揺動）して、ロック爪部52が、前壁パネル３の横杆38を係止可能なロック位置に配設され、前壁パネル３の開揺動を阻止可能なロック状態となる。このロック状態で、前壁パネル３のハンドル34を操作して前壁パネル３の上半部又は全体を開揺動させようとしても、前壁パネル３の横杆38がロック爪部52に係止され前壁パネル３の開揺動が阻止される。他の構成及び作用効果は、上述の実施形態と同様である。
【００３１】
また、上述の実施形態は、ベース部材59とカバー部材57とを、側壁パネル２を挟むように取着しているが、別の実施形態として、ベース部材59とカバー部材57とを所定の内部空間を形成するように取着して薄い板型のケース部材を構成し、そのケース部材に検知部51及びロック爪部52を設けて、既存のボックスパレットの側壁パネル２に後付けする（着脱自在とする）構成とするも良い。他の構成及び作用効果は、上述の実施形態と同様である。
【００３２】
なお、本発明は設計変更可能であって、検知部51及びロック爪部52は、図例においては、左右一対の側壁パネル２，２の両方に設けているが、一方のみに設けるも良い。スライド部材50や上下移動部材55をガイドする縦杆27，27や上縁用の横杆28，28に換えて、ベース部材59にガイド部材を設けるも良い。また、スライド部材50や上下移動部材55や揺動部材56が、所定待機位置や所定ロック位置に配設されるように、ベース部材59に位置決め用当り部を設けても良い。或いは、その位置決め用当り部を、側壁パネル２を形成する部材（横杆28や縦杆27等）の一部をもって構成するも良い。上下移動部材55又は揺動部材56を所定の待機位置に戻すための引っ張りコイルバネや板バネ等の弾発付勢部材58を設けるも良い。底パネル１や各壁パネル２，３，４は、図示の網（柵）型に限らず、鋼板等の板型であっても良い。また、前壁パネル３を板型とした場合は、ロック爪部52が差し込み可能な開口部を設け、その開口部の開口縁部にロック爪部52を係止可能に設けても良い。
【００３３】
また、図示省略するが、上方開口箱型に組み立てられる前は、前壁・後壁パネル３，４及び左右一対の側壁パネル２，２は、相互に上下方向に重なるように底パネル１の上面に倒れた倒伏（傾倒）姿勢となり、全体が、折畳積層状態である。
【００３４】
底パネル１は、平面視矩形枠型の金属製のベース部と、ベース部に固着する水平面状の金属製の底網部と、ベース部の４つの各角部に下方突出状に設けられる金属製の脚部とを一体状に有している
【００３５】
左右一対の側壁パネル２は、後壁パネル４の左右側縁部夫々に、鉛直状軸心廻りに揺動自在に連結され、後壁パネル４と共に（一体状に）底パネル１の上面側へ倒された倒伏（横倒れ）姿勢となるもの、又は、側壁パネル２は、下縁部が、底パネル１の左右側縁部夫々に、前後水平状軸心廻りに揺動自在に連結され、左右夫々の側壁パネル２，２が、底パネル１の上面側へ倒された倒伏（横倒れ）姿勢となるもの、いずれであっても良い。また、ストッパ用孔部23，24を形成するＵ字状杆は、上方開口箱型状態で前壁パネル３の網目（網孔）に挿通され、その網目を形成する縦杆に当接して、横（左右方向）の荷重を受けるように構成されると共に、上記網目を形成する横杆に上下方向に当接して前壁パネル３（ゲート部31，32）の上下方向の位置ズレを抑制している。
【００３６】
前壁パネル３は、上述のような上下分割ゲート構造を有するものに限らず、一枚型に構成され、全体としてのみ開揺動が可能（上半部のみの開揺動が不可能）に構成したものであっても良い。また、前壁パネル３は、上半部（前上ゲート部32）のみが開揺動可能（下半部の開揺動が不可能に）構成したものであっても良い。また、ハンドル33，34及びストッパ用孔部23，24の位置や数は自由である。
【００３７】
後壁パネル４は、一枚型に限らず、（前壁パネル３と同様に、）上半部又は全体が、収容物取り出しの際に後方へ開揺動可能に構成されたものであっても良い。
そして、上方開口箱型状態で後壁パネル４が開揺動可能に構成した場合は、別のボックスパレットＢが上方から載置されたことを検知する検知部51を、側壁パネル２の上縁部２ａかつ後縁部側に設け、さらに、上記側壁パネル２の後縁部から後方突出状に、後壁パネル４の開揺動を阻止するロック爪部52を設ける。
【００３８】
以上のように、本発明のボックスパレットは、矩形状の底パネル１と、左右一対の矩形状の側壁パネル２，２と、矩形状の前壁パネル３と、矩形状の後壁パネル４と、を備え、上記前壁パネル３は、上半部又は全体が、収容物取り出しの際に前方へ開揺動可能に構成されたボックスパレットに於て、別のボックスパレットＢが上方から載置されたことを検知する検知部51を、上記側壁パネル２に設け、さらに、上記側壁パネル２に、上記検知部51の検知に基づいて上記前壁パネル３の開揺動を阻止するロック爪部52を設けたので、複数のボックスパレットを上下に積み重ねた状態で、前壁パネル３の開揺動を確実に阻止できる。パレット積み重ね作業に伴って自動的に、前壁パネル３の開揺動を阻止できる。ロック爪部52を操作するためのロック操作やロック解除操作が不要であり、ロック操作忘れ等の人為的ミスの悪影響を受けない。
【００３９】
また、上記検知部51は、上記側壁パネル２の上縁部２ａから上方突出状に上下スライド自在に設けられ、載置された上記別のボックスパレットＢに押圧されて下方へスライド移動するように構成され、上記ロック爪部52は、上記検知部51の下方へのスライド移動に伴って上下方向に移動して、上記前壁パネル３に係止して上記前壁パネル３の開揺動を阻止するように構成されているので、機械的な検知及び連動により簡素な構造にでき、製作や組立を容易にできて、故障も少ない。
【符号の説明】
【００４０】
１  底パネル
２  側壁パネル
２ａ  上縁部
３  前壁パネル
４  後壁パネル
51  検知部
52  ロック爪部
Ｂ  別のボックスパレット
【図１】
2018167856.tif 000003
【図２】
2018167856.tif 000004
【図３】
2018167856.tif 000005
【図４】
2018167856.tif 000006
【図５】
2018167856.tif 000007
【図６】
2018167856.tif 000008